(57)【要約】【目的】オートバイのハンドルの角度、距離、高さ、を簡単かつ自在に調節できることにより、オートバイに乗る人の身長、体形に合わせた乗車姿勢を作り出すことで無理の無い運転を可能としたきわめて安全なオートバイハンドルを提供する。【構成】（１）可変式ハンドルベースをオートバイのトップブリッジ上にあるハンドルホルダー部に（９）取付アダプターＡと（２）取付ボルトＡを使用し取付け、（３）可動金具Ａの（１７）ギア状固定部メスに（４）可動金具Ｂの（１６）ギア状固定部オスを差込み、（３）可動金具Ａの（１８）固定部凸を（１）可変式ハンドルベースの（１９）固定部凹に合わせ（１０）ガイド穴を通し（７）締結ボルトＡにて固定する、（５）締結金具Ａに（６）ハンドル部を差込み（５）締結金具Ａを（４）可動金具Ｂに（８）締結ボルトＢにて取り付ける。【選択図】                      図１
2005170356.tif 000002
【特許請求の範囲】
【請求項１】
（１）可変式ハンドルベースをオートバイのトップブリッジ上にあるハンドルホルダー部に（９）取付アダプターＡと（２）取付ボルトＡを使用し取付け、（３）可動金具Ａの（１７）ギア状固定部メスに（４）可動金具Ｂの（１６）ギア状固定部オスを差込み、（３）可動金具Ａの（１８）固定部凸を（１）可変式ハンドルベースの（１９）固定部凹に合わせ（１０）ガイド穴を通し（７）締結ボルトＡにて固定する、（５）締結金具Ａに（６）ハンドル部を差込み（５）締結金具Ａを（４）可動金具Ｂに（８）締結ボルトＢにて取り付ける。
【請求項２】
（１１）取付アダプターＢと（１２）取付アダプターＣでトップブリッジを挟み込み（２）取付ボルトＡと（１３）取付ボルトＢにて取付、（１４）締結金具Ｂと（１５）締結ボルトＤを使用し、フロントフォークに固定し、、（３）可動金具Ａの（１７）ギア状固定部メスに（４）可動金具Ｂの（１６）ギア状固定部オスを差込み、（３）可動金具Ａの（１８）固定部凸を（１）可変式ハンドルベースの（１９）固定部凹に合わせ（１０）ガイド穴を通し（７）締付ボルトＡにて固定する、（５）締結金具Ａに（６）ハンドル部を差込み（５）締結金具Ａを（４）可動金具Ｂに（８）締結ボルトＢにて取り付ける。
【発明の詳細な説明】
【産業上の利用分野】
【０００１】この発明は、高さ、角度、人体との距離を簡単かつ自在に調節できるオートバイのハンドルに関するものである。
【従来の発明】
【０００２】従来  オートバイのハンドルは取り付け部分の付け根のみ調節出来るものであった。
【発明が解決しようとする課題】
【０００３】  これには次のような欠点があった。
（イ）ハンドルは取り付け部分の付け根のみの調整では高さの調節が出来ず、高くするためには取り付け部分に別の部品を必要とした。
（ロ）人体との距離の調節が出来るものはなかった。
本発明はこれらの欠点を除くためになされたものである。
【課題を解決するための手段】
【０００４】（１）可変式ハンドルベースをオートバイのトップブリッジ上にあるハンドルホルダー部に（９）取付アダプターＡと（２）取付ボルトＡを使用し取付け、（３）可動金具Ａの（１７）ギア状固定部メスに（４）可動金具Ｂの（１６）ギア状固定部オスを差込み、（３）可動金具Ａの（１８）固定部凸を（１）可変式ハンドルベースの（１９）固定部凹に合わせ（１０）ガイド穴を通し（７）締結ボルトＡにて固定する、（５）締結金具Ａに（６）ハンドル部を差込み（５）締結金具Ａを（４）可動金具Ｂに（８）締結ボルトＢにて取り付ける。
又、トップブリッジにハンドルホルダーの無いセパレートハンドルタイプのオートバイには（図２）のに示す（１１）取付アダプターＢと（１２）取付アダプターＣでトップブリッジを挟み込み（２）取付ボルトＡと（１３）取付ボルトＢにて取付、（１４）締結金具Ｂと（１５）締結ボルトＤを使用し、フロントフォークに固定し、、（３）可動金具Ａの（１７）ギア状固定部メスに（４）可動金具Ｂの（１６）ギア状固定部オスを差込み、（３）可動金具Ａの（１８）固定部凸を（１）可変式ハンドルベースの（１９）固定部凹に合わせ（１０）ガイド穴を通し（７）締付ボルトＡにて固定する、（５）締結金具Ａに（６）ハンドル部を差込み（５）締結金具Ａを（４）可動金具Ｂに（８）締結ボルトＢにて取り付ける。
【作用】
【０００５】（３）可動金具Ａと（１）可変式ハンドルベースで（１０）ガイド穴の範囲で高さ、距離の調節をし、（３）可動金具Ａと（４）可動金具Ｂでハンドルの垂れ角、上げ角の回転調節ができ、（４）可動金具Ｂと（５）締結金具Ａにてハンドルの絞り角、開き角の調節ができるオートバイ用可変式ハンドル。
【実施例】
【０００６】以下本発明の実施例について説明する。
（１）可変式ハンドルベースをオートバイのトップブリッジ上にあるハンドルホルダー部に（９）取付アダプターＡと（２）取付ボルトＡを使用し取付け、（３）可動金具Ａの（１７）ギア状固定部メスに（４）可動金具Ｂの（１６）ギア状固定部オスを差込み、（３）可動金具Ａの（１８）固定部凸を（１）可変式ハンドルベースの（１９）固定部凹に合わせ（１０）ガイド穴を通し（７）締結ボルトＡにて固定する、（５）締結金具Ａに（６）ハンドル部を差込み（５）締結金具Ａを（４）可動金具Ｂに（８）締結ボルトＢにて取り付ける。
又、トップブリッジにハンドルホルダーの無いセパレートハンドルタイプのオートバイには（図２）のに示す（１１）取付アダプターＢと（１２）取付アダプターＣでトップブリッジを挟み込み（２）取付ボルトＡと（１３）取付ボルトＢにて取付、（１４）締結金具Ｂと（１５）締結ボルトＤを使用し、フロントフォークに固定し、、（３）可動金具Ａの（１７）ギア状固定部メスに（４）可動金具Ｂの（１６）ギア状固定部オスを差込み、（３）可動金具Ａの（１８）固定部凸を（１）可変式ハンドルベースの（１９）固定部凹に合わせ（１０）ガイド穴を通し（７）締付ボルトＡにて固定する、（５）締結金具Ａに（６）ハンドル部を差込み（５）締結金具Ａを（４）可動金具Ｂに（８）締結ボルトＢにて取り付ける。
又（９）取付けアダプターＡ、（１１）取付けアダプターＢのサイズの変更により（１）可変式ハンドルベース自体の高さ、距離の変更、調節が可能となる。
【発明の効果】
【０００７】オートバイのハンドルの角度、距離、高さ、を簡単かつ自在に調節できることにより、オートバイに乗る人の身長、体形に合わせた乗車姿勢を作り出すことで無理の無い運転を可能としたきわめて安全なオートバイハンドルである。
【図面の簡単な説明】
【図１】  本発明の斜視図である。
【図２】  本発明の一部を切り欠いた側面図である。
【図３】  本発明の一部をきり欠いた上面図である。
【図４】  本考案請求項２の斜視図である。
【符号の説明】
１    可変式ハンドルベース
２    取付ボルトＡ
３    可動金具Ａ
４    可動金具Ｂ
５    締結金具Ａ
６    ハンドル部
７    締結ボルトＡ
８    締結ボルトＢ
９    取付アダプターＡ
１０  ガイド穴
１１  取付アダプターＢ
１２  取付アダプターＣ
１３  取付ボルトＢ
１４  締結金具Ｂ
１５  締結ボルトＤ
１６  ギア状固定部オス
１７  ギア状固定部メス
１８  固定部凸
１９  固定部凹
【図１】
2005170356.tif 000003
【図２】
2005170356.tif 000004
【図３】
2005170356.tif 000005
【図４】
2005170356.tif 000006